(57)【要約】【課題】装置の薄型化および小型化が図れるとともに、構成の簡素化が図れる記録媒体検出装置および記録媒体検出装置を備えた記録媒体再生装置を提供する。【解決手段】記録再生装置１の記録媒体Ｄの挿入などの検出を行う記録媒体検出装置において、１つのＬＥＤ５５と、２つのＰＤ５６，５７を設けて、導光板５８のＬＥＤ５５からの光が入射する入射部Ｂと、ＰＤ５６へ光を出射する出射部Ｃと、ＰＤ５７へ光を出射する出射部Ｄと、に回折格子５８ａ、５８ｂ、５８ｃを設けた。【選択図】図３
2009230774.tif 000002
【特許請求の範囲】
【請求項１】
記録媒体の搬送路の一方側に配置された光源および受光部と、他方側に配置された導光板と、前記光源から前記導光板を介して前記受光部までの光路が遮られたか否かで前記記録媒体の存在を検出する検出手段と、を備えた記録媒体検出装置において、
１つの前記光源と、複数の前記受光部と、を備え、
前記導光板に、前記光源からの光が入射する入射部を１箇所と、前記入射部から入射した光を前記受光部へ出射する出射部を複数設けるとともに、前記入射部と前記出射部が回析格子で構成されていることを特徴とする記録媒体検出装置。
【請求項２】
前記光源が、複数の前記受光部に挟まれるように設けられていることを特徴とする請求項１に記載の記録媒体検出装置。
【請求項３】
請求項１または２に記載の記録媒体検出装置を備えた記録媒体再生装置。
【発明の詳細な説明】
【技術分野】
【０００１】
本発明は、光源と受光部との間の光路を遮断することで記録媒体の存在を検出する記録媒体検出装置および記録媒体検出装置を備えた記録媒体再生装置に関する。
【背景技術】
【０００２】
ＣＤ（Compact Disc）やＤＶＤ（Digital Versatile Disc）などの記録媒体を再生する装置において、装置筐体の前面パネルに設けたスリット状の開口部から記録媒体を挿入または排出する方式が、特に車載機器などに多く用いられている。
【０００３】
この方式では、記録媒体の搬送路を挟んで光源と受光部を配置して、その光路が遮られたことで記録媒体の検出を行うことが多いが、この場合、搬送路を挟んで両端に基板が必要となりコストアップとなってしまう。そこで、例えば特許文献１に記載の光ディスク検出装置のように、開口部の光ディスクの搬送路を挟んで一方に光源としてＬＥＤ（Light Emitting Diode）および受光部としてフォトセンサを配置して、搬送路を挟んで他方にプリズムを配置して、ＬＥＤが出射した光をプリズム（導光板）でフォトセンサの位置まで導いてフォトセンサに対して出射して、このＬＥＤ−プリズム−フォトセンサという光路が光ディスクで遮られたか否かを検出することで光ディスクの挿入や排出を検出することが提案されている。
【特許文献１】特開平８−２９７９０７号公報
【発明の開示】
【発明が解決しようとする課題】
【０００４】
記録媒体として例えばＣＤを再生する装置の場合、直径が１２ｃｍのディスクの他に８ｃｍ等の小径のディスクにも対応する必要がある。しかしながら、特許文献１に記載された光ディスク検出装置では、８ｃｍ等の小径ディスクが挿入された場合、搬送路の中央、端のいずれに挿入されても検知するためには、ＬＥＤ−プリズム−フォトセンサという光路を複数設ける必要があるため部品点数の増加、装置の大型化という問題があった。
【０００５】
また、プリズムの入射の反射面にハーフミラー等を設けて光路を分岐させることも考えられるが、この場合も光源からの光束幅の影響によりディスクの搬送方向と垂直方向の厚みが厚くなってしまいメカの薄型化が困難になるという問題があった。
【０００６】
そこで、本発明は、例えば装置の薄型化および小型化が図れるとともに、構成の簡素化が図れる記録媒体検出装置および記録媒体検出装置を備えた記録媒体再生装置を提供することを課題とする。
【課題を解決するための手段】
【０００７】
上記課題を解決するために、請求項１に記載の記録媒体検出装置は、記録媒体の搬送路の一方側に配置された光源および受光部と、他方側に配置された導光板と、前記光源から前記導光板を介して前記受光部までの光路が遮られたか否かで前記記録媒体の存在を検出する検出手段と、を備えた記録媒体検出装置において、１つの前記光源と、複数の前記受光部と、を備え、前記導光板に、前記光源からの光が入射する入射部を１箇所と、前記入射部から入射した光を前記受光部へ出射する出射部を複数設けるとともに、前記入射部と前記出射部が回析格子で構成されていることを特徴としている。
【発明を実施するための最良の形態】
【０００８】
以下、本発明の一実施形態にかかる記録媒体検出装置を説明する。本発明の一実施形態にかかる記録媒体検出装置は、１つの光源に対して複数の受光部を設けて、導光板には、光源に対応した１つの入射部と、複数の受光部に対応した複数の出射部が設けられ、入射部と出射部は回折格子で構成されているので、ハーフミラーのように光束幅分の厚みが不要で複数方向に光を分岐させることができるため、装置の薄型化および小型化が図れ、また、光源は１つでよいので構成の簡素化を図ることができる。
【０００９】
また、光源が、複数の受光部に挟まれるように設けられていてもよい。このようにすることにより、例えば、２方向に光を分岐させた場合に光源からの光を略均等に受光部に受光させることができる。
【００１０】
また、記録媒体再生装置が上述した記録媒体再生装置を備えてもよい。このようにすることにより、薄型化および小型化が図れるとともに、構成の簡素化が図れる。
【実施例】
【００１１】
本発明の一実施例にかかる記録媒体再生装置としての記録再生装置１を図１乃至図６を参照して説明する。
【００１２】
本発明の一実施例にかかる記録媒体再生装置としての記録再生装置１は、図１に示すように、シャーシ部分２２と天板２３とで形成された方形箱状の筐体２１を備えており、該筐体２１の前面には、記録媒体Ｄを挿入排出する為の開口部２５が、図１中Ｙ軸方向に沿って延びる横長形状に設けられている。したがって、開口部２５からＸ軸方向に搬送路が設けられている。そして、記録再生装置１は、ＣＤ、ＤＶＤ等の円盤状記録媒体の記録および再生を行う。
【００１３】
開口部２５の下側近傍であるシャーシ部分２２の前面パネル２４の外側面には、図２に示すように、記録媒体Ｄの搬送方向（図２中、Ｘ軸方向）に沿って設けられている第１の回動軸Ｏを中心にそれぞれ回動自在に左右一対のシャッター部材３０，３０が配置されている。
【００１４】
前面パネル２４の外側面に沿ってそれぞれ回動自在に軸支されたシャッター部材３０は、開口部２５の少なくとも一部分を覆って記録媒体Ｄの挿入を阻止する阻止位置と、開口部２５を開放して記録媒体Ｄの挿入排出を可能とする開放位置との間を移動自在とされた挿入阻止部３１を揺動先端側に備えた略矩形状板である。
【００１５】
本実施例におけるシャッター部材３０は、図２に示すように、シャーシ部分２２の底壁との間に介装された引張りコイルバネ３５の弾性力によって、それぞれ開放方向に常時付勢されている。尚、シャッター部材３０を開放方向に常時付勢する付勢力は、バネの弾性力を利用して付勢するものに限らず、シャッター部材３０に錘をつけて重力で付勢する方法等のどの様な力で付勢しても良い。
【００１６】
又、前面パネル２４の外側面と対向するシャッター部材３０の内側面には、該前面パネル２４の上縁部２４ａに当接して開放方向への回動を規制する為の係止ピン３３が突設されている。更に、各シャッター部材３０における第１の回動軸Ｏと挿入阻止部３１との間には、後述する揺動アーム４０の揺動先端部４１が挿通して係合する係合用開口３２が形成されており、シャッター部材３０と揺動アーム４０との係合部分が設けられている。
【００１７】
一方、シャーシ部分２２の前方部分（前面パネル２４側部分）には、図２に示すように、開口部２５の長手方向に平行な方向（Ｙ軸方向）に設けられた第２の回動軸Ｐを中心に回動自在に揺動アーム４０が配置されている。揺動アーム４０の第１の端部は、シャッター部材３０の係合用開口３２にそれぞれ対応する一対の揺動先端部４１，４１を備えており、各揺動先端部４１が係合用開口３２に挿通されている。
【００１８】
そこで、一対のシャッター部材３０，３０は、図示しない駆動装置により駆動させられる駆動部材としての該揺動アーム４０の回動に連動して阻止位置又は開放位置に移動させられる。
【００１９】
ここで、シャッター部材３０の阻止位置では、揺動アーム４０は水平姿勢となり、シャッター部材３０の開放位置では、揺動アーム４０は前下りの傾斜姿勢となる。
【００２０】
又、第２の回動軸Ｐに対し揺動先端部４１と反対側に位置する揺動アーム４０の第２の端部には、記録媒体Ｄと当接して記録媒体Ｄの挿入排出を行う挿入排出ローラ４２が設けられている。挿入排出ローラ４２は、記録媒体Ｄの対向面に対して押圧付勢された状態で、図示しない回転駆動装置により適宜正逆回転させることにより、開口部２５から筐体２１内に挿入された記録媒体Ｄを搬送してシャーシ部分２２の後方部分に装備された記録／再生部（図示せず）に装填したり、記録／再生が終わった記録媒体Ｄを開口部２５から筐体２１外に排出したりする為の搬送部材の一例である。
【００２１】
又、シャーシ部分２２の底壁と揺動アーム４０との間には基板５０が設けられている。基板５０には、光源としてのＬＥＤ５１，５５と、受光部としてのＰＤ（Photo Diode）５２，５３，５６，５７と、制御回路５９及び、図示しない電子部品等が設けられている。ＬＥＤ５１とＰＤ５２，５３は、ＰＤ５２，５３がＬＥＤ５１を挟むように、かつ、記録媒体Ｄの搬送路と直交するように基板５０上で所定の間隔を空けて設けられている。ＬＥＤ５５とＰＤ５６，５７も同様に、ＰＤ５６，５７がＬＥＤ５５を挟むように、かつ、記録媒体Ｄの搬送路と直交するように基板５０上で所定の間隔を空けて設けられている。また、揺動アーム４０のＬＥＤ５１およびＰＤ５２，５３に対応する位置には、孔が設けられており、ＬＥＤ５１から後述する導光板５４に光が出射および導光板５４からの光がＰＤ５２，５３に入射できるようになっている。
【００２２】
又、天板２３の、ＬＥＤ５１とＰＤ５２，５３に対向する位置には導光板５４が設けられ、同様にＬＥＤ５５とＰＤ５６，５７に対向する位置には導光板５８が設けられている。
【００２３】
そして、記録媒体Ｄが、ＬＥＤ５１、導光板５４、ＰＤ５２または５３で構成された光路あるいは、ＬＥＤ５５、導光板５８、ＰＤ５６または５７で構成された光路のうちいずれかを遮ると、ＰＤ５２，５３，５６，５７のいずれかから光を受光していないことを示す信号が基板５０に設けられた検出手段としての制御回路５９で検出され、制御回路５９が記録媒体Ｄを検出したと判断し、前記回転駆動装置を制御して挿入排出ローラ４２を回転させる。
【００２４】
つまり、本実施例では、ＬＥＤ５１，５５、ＰＤ５２，５３，５６，５７、導光板５４，５８および制御回路５７で記録媒体検出装置を構成している。なお、本実施例では、ＬＥＤ５１、導光板５４、ＰＤ５２または５３で構成された光路と、ＬＥＤ５５、導光板５８、ＰＤ５６または５７で構成された光路の２箇所設けられているが、１箇所のみでもよい。
【００２５】
次に、図３に図２のＱ線に沿う断面図を示す。以下、ＬＥＤ５５、導光板５８、ＰＤ５６または５７で構成された光路で説明するが、ＬＥＤ５１、導光板５４、ＰＤ５２または５３で構成された光路の場合も同様である。
【００２６】
導光板５８は、透明な樹脂などで形成され、図４に示すように、ＬＥＤ５５からの光が入射する入射部Ｂに回折格子５８ａを、ＰＤ５６へ光を出射する出射部Ｃに回折格子５８ｂを、そして、ＰＤ５７へ光を出射する出射部Ｄに回折格子５８ｃを、それぞれ設けている。図４に入射部Ｂ、図６に出射部Ｄの拡大図を示す。出射部Ｃは出射部Ｄと同様である。回折格子５８ａ，５８ｂ，５８ｃは、図２中の左右方向（図１のＹ方向）と直交するようにスリット状に格子が複数設けられている。
【００２７】
図４に示したように、ＬＥＤ５５からの光（光束）は、回折格子５８ａによって回折光となって導光板５８内の導波路へ導かれる。この際に、回折格子５８ａは、図４中右方向と左方向の２方向に光を分岐させる。導光板５８内の導波路は、回折格子５８ａによる回折光が全反射するように形成されている。従って、回折光は導波路内の内壁で全反射を繰り返して出射部Ｃの回折格子５８ｂと出射部Ｄの回折格子５８ｃとに導かれる。なお、導波路内の内壁で全反射される光の波長はＬＥＤ５５が出射する波長と同一である。
【００２８】
出射部Ｄでは、図５に示したように、導波路内の内壁で全反射を繰り返して導かれた回折光が回折格子５８ｃによって、ＰＤ５７へ向かう光となって出射される。出射部Ｃも同様に導波路内の内壁で全反射を繰り返して導かれた回折光が回折格子５８ｂによって、ＰＤ５７へ向かう光となって出射される。なお、回折格子５８ｂ，５８ｃによってＰＤ５６，５７へ向かう光の波長はＬＥＤ５５が出射する波長と同一である。
【００２９】
本実施例によれば、記録再生装置１の記録媒体Ｄの挿入などの検出を行う記録媒体検出装置において、１つのＬＥＤ５５と、２つのＰＤ５６，５７を設けて、導光板５８のＬＥＤ５５からの光が入射する入射部Ｂと、ＰＤ５６へ光を出射する出射部Ｃと、ＰＤ５７へ光を出射する出射部Ｄと、に回折格子５８ａ、５８ｂ、５８ｃを設けたので、ハーフミラーのように光束幅分の厚みが不要な回折格子で複数方向に光を分岐させることができるため、装置の薄型化および小型化が図れ、また、光源としてはＬＥＤ５５の１つでよいので構成の簡素化を図ることができる。
【００３０】
また、ＬＥＤ５５がＰＤ５６とＰＤ５７の間に挟まれるように設けられているので、ＬＥＤ５５から出射した光が、ＰＤ５６とＰＤ５７とに略均等に受光させることができる。
【００３１】
なお、本実施例では１つのＬＥＤに対してＰＤは２つであったが、ＰＤを３つ以上設けてもよい。また、ＬＥＤの位置は、複数のＰＤに挟まれたほうが光を均等に受光させやすいので好ましいが端に配置してもよい。ＬＥＤを端に配置した場合はＬＥＤに近いＰＤに対応する回折格子から一番強い光が出射され、ＬＥＤから遠ざかるにしたがって回折格子から出射する光が弱くなる。そのため、ＬＥＤから一番遠いＰＤを正常に動作させるためには、ＬＥＤの光を強くすることやＰＤの受光感度を変更するなどの対策が必要となる場合がある。
【００３２】
前述した実施例によれば、以下の記録媒体検出装置が得られる。
【００３３】
（付記）記録媒体Ｄの搬送路の一方側に配置されたＬＥＤ５５およびＰＤ５６，５７と、他方側に配置された導光板５８と、ＬＥＤ５５から導光板５８を介してＰＤ５６，５７までの光路が遮られたか否かで記録媒体Ｄの存在を検出する制御回路５９と、を備えた記録媒体検出装置において、
１つのＬＥＤ５５と、複数のＰＤ５６，５７と、を備え、
導光板５８に、ＬＥＤ５５からの光が入射する入射部Ｂを１箇所と、入射部Ｂから入射した光をＰＤ５６，５７へ出射する出射部Ｃ，Ｄを２箇所設けるとともに、入射部Ｂと出射部Ｃ，Ｄが回析格子５８ａ，５８ｂ，５８ｃで構成されていることを特徴とする記録媒体検出装置。
【００３４】
この記録媒体検出装置によれば、ハーフミラーのように光束幅分の厚みが不要で複数方向に光を分岐させることができるため、装置の薄型化および小型化が図れ、また、ＬＥＤは１つでよいので構成の簡素化を図ることができる。
【００３５】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００３６】
【図１】本発明の一実施例にかかる記録媒体検出装置を備えた記録再生装置の全体斜視図である。
【図２】図１に示された記録再生装置におけるシャーシ部分の平面図である。
【図３】図２のＱ線に沿う断面図である。
【図４】図３における入射部の拡大図である。
【図５】図３における出射部の拡大図である。
【符号の説明】
【００３７】
１                      記録再生装置（記録媒体再生装置）
５１、５５              ＬＥＤ（光源）
５２、５３、５６、５７  ＰＤ（受光部）
５４、５８              導光板
５８ａ、５８ｂ、５８ｃ  回折格子
５９                    制御回路（検出手段）
Ｂ                      入射部
Ｃ、Ｄ                  出射部
【図１】
2009230774.tif 000003
【図２】
2009230774.tif 000004
【図３】
2009230774.tif 000005
【図４】
2009230774.tif 000006
【図５】
2009230774.tif 000007